【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
物体側に凸面を向けた正のパワーを有する第１レンズと、
物体側に凹面を向けた負のパワーを有する第２レンズと、
正のパワーを有する第３レンズと、
近軸近傍において物体側に凸面を向けたメニスカス形状の第４レンズと
を物体側から順に備え、かつ、以下の条件式（１）〜（５）を全て満足するように構成されている
ことを特徴とする撮像レンズ。
０．７＜ｆ１／ｆ＜１．１        ……（１）
１．４５＜ｎ１＜１．６          ……（２）
ν１＞６０                      ……（３）
０．８＜｜ｆ２／ｆ｜＜１．８    ……（４）
１．９＜ｆ３／ｆ＜２０          ……（５）
但し、
ｆ１：第１レンズの焦点距離
ｆ：全体の焦点距離
ｎ１：第１レンズのｄ線に対する屈折率
ν１：第１レンズのｄ線に対するアッベ数
ｆ２：第２レンズの焦点距離
ｆ３：第３レンズの焦点距離
【請求項２】
さらに以下の条件式（６）を満足するように構成されている
ことを特徴とする請求項１に記載の撮像レンズ。
ｂｆ／ＴＬ＞０．２              ……（６）
但し、
ｂｆ：第４レンズの像側の面から撮像面まで（バックフォーカス）の距離（空気換算）
ＴＬ：第１レンズの物体側の面から撮像面までの距離（但し、バックフォーカスは空気換算）
【請求項３】
さらに以下の条件式（７）を満足するように構成されている
ことを特徴とする請求項１または請求項２に記載の撮像レンズ。
ＴＬ／（２×Ｉｈ）＜１．１      ……（７）
但し、
Ｉｈ：撮像面での最大像高
【請求項４】
前記第２レンズから第４レンズは、それぞれ少なくとも１つの非球面を含んでいる
ことを特徴とする請求項１から請求項３のいずれか１項に記載の撮像レンズ。
【請求項５】
前記第１レンズは、少なくとも１つの非球面を含んでいる
ことを特徴とする請求項１から請求項４のいずれか１項に記載の撮像レンズ。
【請求項６】
前記第２レンズから第４レンズは、全て樹脂材料により構成されている
ことを特徴とする請求項１から請求項５のいずれか１項に記載の撮像レンズ。
【請求項７】
前記第１レンズは、光学ガラスにより構成されている
ことを特徴とする請求項１から請求項６のいずれか１項に記載の撮像レンズ。
【請求項８】
さらに、前記第１レンズにおける光軸上の物体側の面位置と、前記第１レンズにおける光軸上の像側の面位置との間に絞りが配置されている
ことを特徴とする請求項１から請求項７のいずれか１項に記載の撮像レンズ。
【請求項９】
物体側に凸面を向けた正のパワーを有する第１レンズと、
物体側に凹面を向けた負のパワーを有する第２レンズと、
正のパワーを有する第３レンズと、
近軸近傍において物体側に凸面を向けたメニスカス形状の第４レンズと
を物体側から順に備え、
前記第１レンズと前記第２レンズとの間に空気間隔を有し、かつ以下の条件式（５）を満足するように構成されている
ことを特徴とする撮像レンズ。
１．９＜ｆ３／ｆ＜２０          ……（５）
但し、
ｆ：全体の焦点距離
ｆ３：第３レンズの焦点距離
【請求項１０】
さらに、以下の条件式（１）を満足するように構成されている
ことを特徴とする請求項９に記載の撮像レンズ。
０．７＜ｆ１／ｆ＜１．１        ……（１）
但し、
ｆ１：第１レンズの焦点距離
【請求項１１】
さらに、以下の条件式（２），（３）を満足するように構成されている
ことを特徴とする請求項９または請求項１０に記載の撮像レンズ。
１．４５＜ｎ１＜１．６          ……（２）
ν１＞６０                      ……（３）
但し、
ｎ１：第１レンズのｄ線に対する屈折率
ν１：第１レンズのｄ線に対するアッベ数
【請求項１２】
さらに、以下の条件式（４）を満足するように構成されている
ことを特徴とする請求項９から請求項１１のいずれか１項に記載の撮像レンズ。
０．８＜｜ｆ２／ｆ｜＜１．８    ……（４）
但し、
ｆ２：第２レンズの焦点距離
【請求項１３】
物体側に凸面を向けた正のパワーを有する第１レンズと、
物体側に凹面を向けた負のパワーを有する第２レンズと、
正のパワーを有する第３レンズと、
近軸近傍において物体側に凸面を向けたメニスカス形状の第４レンズと
を物体側から順に備え、かつ以下の条件式（１），（５）を満足するように構成されている
ことを特徴とする撮像レンズ。
０．７＜ｆ１／ｆ＜１．１        ……（１）
１．９＜ｆ３／ｆ＜２０          ……（５）
但し、
ｆ：全体の焦点距離
ｆ１：第１レンズの焦点距離
ｆ３：第３レンズの焦点距離
【請求項１４】
さらに、以下の条件式（２），（３）を満足するように構成されている
ことを特徴とする請求項１３に記載の撮像レンズ。
１．４５＜ｎ１＜１．６          ……（２）
ν１＞６０                      ……（３）
但し、
ｎ１：第１レンズのｄ線に対する屈折率
ν１：第１レンズのｄ線に対するアッベ数
【請求項１５】
さらに、以下の条件式（４）を満足するように構成されている
ことを特徴とする請求項１３または請求項１４に記載の撮像レンズ。
０．８＜｜ｆ２／ｆ｜＜１．８    ……（４）
但し、
ｆ２：第２レンズの焦点距離
【手続補正２】
【補正対象書類名】明細書
【補正対象項目名】０００９
【補正方法】変更
【補正の内容】
【０００９】
本発明の第１の撮像レンズは、物体側に凸面を向けた正のパワーを有する第１レンズと、物体側に凹面を向けた負のパワーを有する第２レンズと、正のパワーを有する第３レンズと、近軸近傍において物体側に凸面を向けたメニスカス形状の第４レンズとを物体側から順に備え、かつ、以下の条件式（１）〜（５）を全て満足するように構成されたものである。
本発明の第２の撮像レンズは、物体側に凸面を向けた正のパワーを有する第１レンズと、物体側に凹面を向けた負のパワーを有する第２レンズと、正のパワーを有する第３レンズと、近軸近傍において物体側に凸面を向けたメニスカス形状の第４レンズとを物体側から順に備え、第１レンズと第２レンズとの間に空気間隔を有し、かつ以下の条件式（５）を満足するように構成されたものである。
本発明の第３の撮像レンズは、物体側に凸面を向けた正のパワーを有する第１レンズと、物体側に凹面を向けた負のパワーを有する第２レンズと、正のパワーを有する第３レンズと、近軸近傍において物体側に凸面を向けたメニスカス形状の第４レンズとを物体側から順に備え、かつ以下の条件式（１），（５）を満足するように構成されたものである。
但し、第１レンズの焦点距離をｆ１、全体の焦点距離をｆ、第１レンズのｄ線に対する屈折率をｎ１、第１レンズのｄ線に対するアッベ数をν１、第２レンズの焦点距離をｆ２、第３レンズの焦点距離をｆ３とした。
【手続補正３】
【補正対象書類名】明細書
【補正対象項目名】００１１
【補正方法】変更
【補正の内容】
【００１１】
本発明の第１ないし第３の撮像レンズでは、４枚という少ないレンズ枚数によってコンパクト化が可能になると共に、高い結像性能が得られる。特に、本発明の第１の撮像レンズでは、例えば５００万画素の撮像素子を搭載したデジタルカメラにも対応可能な結像性能が得られる。本発明の第１の撮像レンズでは、第１レンズが条件式（１）を満足するようなパワーを有しているので大型化が抑制されると共に球面収差の増大が抑制される。さらに、第１レンズが条件式（２），（３）を満足するようなレンズ材料によって形成されているので、軸上色収差が低減される。さらに、条件式（４），（５）を満足するように構成されているので、球面収差やコマ収差等の高次収差が良好に補正されるうえ、コンパクト化が実現される。 
【手続補正４】
【補正対象書類名】明細書
【補正対象項目名】００１２
【補正方法】変更
【補正の内容】
【００１２】
本発明の第１の撮像レンズでは、さらに以下の条件式（６）を満たすようにするとよい。但し、ｂｆは第４レンズの像側の面から撮像面まで（バックフォーカス）の距離（空気換算）であり、ＴＬは第１レンズの物体側の面から撮像面までの距離（但し、バックフォーカスは空気換算）である。これを満足するようにすると、より十分なバックフォーカスが確保される。
【手続補正５】
【補正対象書類名】明細書
【補正対象項目名】００１４
【補正方法】変更
【補正の内容】
【００１４】
本発明の第１の撮像レンズでは、さらに以下の条件式（７）を満たすようにするとよい。但し、Ｉｈは撮像面での最大像高である。これを満足するようにすると、さらなる小型化が達成される。 
【手続補正６】
【補正対象書類名】明細書
【補正対象項目名】００１６
【補正方法】変更
【補正の内容】
【００１６】
本発明の第１の撮像レンズでは、第１レンズから第４レンズが、それぞれ少なくとも１つの非球面を含んでいることが望ましい。こうすることで、高い収差性能が比較的容易に得られる。また、第１レンズを光学ガラスによって構成すると共に第２レンズから第４レンズを全て樹脂材料によって構成した場合には、諸収差（特に色収差）の低減と共に軽量化も実現される。 
【手続補正７】
【補正対象書類名】明細書
【補正対象項目名】００１７
【補正方法】変更
【補正の内容】
【００１７】
本発明の第１の撮像レンズでは、さらに、第１レンズにおける光軸上の物体側の面位置と、第１レンズにおける光軸上の像側の面位置との間に絞りを配置するようにするとよい。このようにすると、全長の短縮化に有利となる。
【手続補正８】
【補正対象書類名】明細書
【補正対象項目名】００１８
【補正方法】変更
【補正の内容】
【００１８】
本発明の第１ないし第３の撮像レンズによれば、物体側に凸面を向けた正の第１レンズと、物体側に凹面を向けた負の第２レンズと、正の第３レンズと、近軸近傍において物体側に凸面を向けたメニスカス形状の第４レンズとを物体側から順に備え、かつ、所定の条件式を満足するようにしたので、コンパクト化を実現すると共に高い結像性能を確保することができる。特に、本発明の第１の撮像レンズによれば、条件式（１）〜（５）を全て満足するようにしたので、よりコンパクト化に有利になると共に、より高い結像性能を確保することができる。
【手続補正９】
【補正対象書類名】明細書
【補正対象項目名】００２８
【補正方法】変更
【補正の内容】
【００２８】
この撮像レンズでは、さらに以下の条件式（６）を満たすようにするとよい。但し、ｂｆは第４レンズＧ４の像側の面Ｓ７から撮像面Ｓｉｍｇまで（バックフォーカス）の距離（空気換算）であり、ＴＬは第１レンズＧ１の物体側の面Ｓ１から撮像面Ｓｉｍｇまでの距離（但し、バックフォーカスは空気換算）である。
ｂｆ／ＴＬ＞０．２              ……（６）
【手続補正１０】
【補正対象書類名】明細書
【補正対象項目名】００４０
【補正方法】変更
【補正の内容】
【００４０】
図１０に示した基本レンズデータにおける面番号Ｓｉの欄には、図１に示した撮像レンズの符号Ｓｉに対応させて、絞りＳｔを除き最も物体側にある構成要素の面を１番目として、像側に向かうに従い順次増加するようにして符号を付したｉ番目（ｉ＝１〜１０）の面の番号を示している。曲率半径Ｒｉの欄には、図１で示した符号Ｒｉに対応させて、物体側からｉ番目の面の曲率半径の値を示す。面間隔Ｄｉの欄についても、図１で付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｊ，νｄｊの欄には、それぞれ、カバーガラスＣＧも含めて、物体側からｊ番目（ｊ＝１〜５）のレンズ要素のｄ線（５８７．６ｎｍ）に対する屈折率およびアッベ数の値を示す。なお、カバーガラスＣＧの両面の曲率半径Ｒ９，Ｒ１０の値が０（ゼロ）となっているが、これは平面であることを示す。また、絞りの面間隔Ｄｉの欄には、光軸上における面Ｓ１と絞りＳｔとの距離（ｍｍ）を示す。マイナスの符号は、絞りＳｔが面Ｓ１よりも像側にあることを意味する。図１０の欄外には、諸データとして、全系の焦点距離ｆ（ｍｍ）、Ｆナンバー（ＦＮＯ．）、バックフォーカス（空気換算）ｂｆ（ｍｍ）、第１レンズＧ１の物体側の面Ｓ１から撮像面Ｓｉｍｇまでの距離（但し、バックフォーカスは空気換算）ＴＬ（ｍｍ）および撮像面での最大像高Ｉｈ（ｍｍ）の値を同時に示す。